(57)【要約】【課題】  本考案は、ウリ科類のメロン及びスイカ成長過程で植物の実を容易に収めることができ、尚且つ容器内で植物成長栽培に必要な遮光性の確保、通気性の確保、植物の成長栽培圧力に耐えうる構造にすることでデザイン性のある食品を製造する目的。【解決手段】  本考案のハート形成型栽培容器は、遮光性確保の為に、天板１、底板２、側板３全てを厚さ５ｍｍ〜１０ｍｍのアクリル板を使用して分割形成し、天板１、底板２、側板３には空気孔を複数穿設し、底板２と側板３が棒体ボルト９の４本で接合状態であっても、天板１、底板２の補強部Ａよりボルト４とナット５を取り外し、更に対抗する側板３の上部２箇所の棒体ボルト９を抜き差しすることで、天板１が独立開閉となるため、作業性の向上に繋がり植物を傷つけることなく栽培できる。【選択図】図１
0003134612.tif 000002
【実用新案登録請求の範囲】
【請求項１】
厚さ５ｍｍ〜１０ｍｍの透明な天板２枚、底板２枚、側板２枚を分割作成し、天板及び底板、側板には全て空気孔が複数開設され、分離自在となる天板２枚の中央部位には、つるを挿入する挿入孔が開設されると共に、側板２枚は立方体２３ｃｍに加工され、天板及び底板の接合する側板内部は、ハート形部位を厚さ５ｍｍ、ハート形外部を厚さ１０ｍｍに凹凸加工し、前記側板２枚を対抗配置した後、天板２枚と底板２枚に作成された補強部をボルト及びナットにて接合固定し、これら接合された天板及び底板を両側板により挟み込むように具備し、対抗する側板２枚の６箇所に穿設された棒体ボルト挿入孔に、棒体ボルト挿入後ナットにて固定。また、前記天板、底板、側板を棒体ボルト固定後でも、側板上部に位置する２箇所のボルトと天板、底板の補強部を接合するボルトを開錠することにより天板だけを容易に脱着可能な構造とし、植物の挿入、取り出しを簡素化させることを特徴としたウリ科類のハート形成型栽培容器
【請求項２】
透明な天板及び底板、側板を強化ガラス、アクリル樹脂材、塩化ビニル樹脂材で作成したことを特徴とする請求項１のウリ科類成型栽培容器。
【考案の詳細な説明】
【技術分野】
【０００１】  本考案は、すいか、メロン等のウリ科植物をハート形に栽培できるようにしたウリ科類成型容器に関するものであり、この成型容器にウリ科植物の実を容易に収められ、尚且つ収穫出来るように考案したものである。
【背景技術】
【０００２】  スイカやメロンのウリ科類は、果実の大きさ、糖度により商品価値が選別される事が殆どで、近年、球形以外の造形品では六面体状、三角錐といったものが販売されている。こういった六面体、円錐体のスイカに形成するには、六面体、円錐体の成型容器を用意し、この成型容器につるを挿入し、スイカ果実が成型容器内で成長することにより、成型容器の形状に沿った形となるものであるが、六面体、円錐体のいずれも、成型容器下部より、取り出しが容易な形状であり、食味不十分な観賞用として用いられている。
【考案が解決しようとする課題】
【０００３】  本考案のウリ科類のハート形成型容器は、スイカ及びメロン等の栽培においての新しいデザインにより、結婚式場、花屋等の販路拡大やクリスマス、バレンタイン行事でのプレゼント用として、スイカ及びメロン商品の価値向上と共に、前記ウリ科類品種の特定と成型容器の遮光性、通気性の改善をする事で、食品として十分に食べられるようにする目的、また曲面と直線が合わさるハート形のウリ科類が容易に成長栽培、成型、収納、取出し可能な構造を提案すること。
【課題を解決する為の手段】
【０００４】  スイカ、メロンの成長過程において、前記表面の発色、果肉の糖度向上を考慮しつつ、ハート形のスイカ、メロンを矯正する為に、本考案の成型容器は、遮光性確保の為に、厚さ５ｍｍ〜１０ｍｍのアクリル板を使用し、天板２枚、底板２枚、側板２枚の分割形成であり、前記述の分割形成されたアクリル板６枚には空気孔が複数あり、天板２枚の中央にはつるを挿入する挿入孔が穿設されており、両側板により、天板、底板を挟み込む様にボルト６本にて固定、天板及び底板の接合する側板部位は固定強度向上の為に５ｍｍ幅で凹凸の加工が接され、スイカ及びメロンの挿入、取り出し場所となる天板２枚は底板、側板がボルト固定状態でも、底板２枚の補強部と天板２枚の補強部所を固定するボルトを取り外しする事で、容易に脱着可能な構造を特徴として構成されている。
【考案の効果】
【０００５】  上述の様に、本考案のウリ科植物のハート成型栽培型容器は、天板２枚が独立して開閉が可能な為に栽培成長過程のスイカを型枠に収める作業の時間が短縮されると共に、側板に接された凹凸加工により縦横へのウリ科成長圧力に耐えうる構造となした事で、繰り返し使用が可能であり、透明アクリル板使用による遮光性の確保、空気孔を穿設することにより、容器内部の温度及び湿度上昇を防ぐ事で、ウリ科植物が変色、軟化、腐敗することなく成型栽培が可能である。
【考案の実地する為の最良の形態】
【０００６】  天板、側板、底板は遮光性の確保が出来るように全て透明であり、植物の成長による圧力に耐えうる２つの条件を満たす材質であれば特に限定されず、例えば、強化ガラス、アクリル樹脂板、塩化ビニル樹脂板を用いることができる。本発明においては、天板２枚、側板２枚、底板２枚を接合させた状態で固定するが、固定手段としては、ボルトとナットを用いることができる。
【０００７】  天板、側板、底板には、複数の空気孔が穿設されており、通気性の確保と容器内部の植物成長圧力による空気孔間のヒビ割れを考慮すると空気孔は２ｍｍ〜４ｍｍの範囲が好ましく、空気孔を接する間隔は４ｍｍ以上あけることが望ましい。
【０００８】  本考案のウリ科植物の栽培容器を立てた状態で側板上部のボルト２本を抜き天板２枚の補強部と底板２枚の補強部接合のボルトを抜き、天板を上部に引き上げ、ウリ科植物を容器内部に挿入、挿入後天板を側板に接合後、天板、側板の補強部に設けられた、ボルト挿入孔にボルトを挿入しナットにて固定する。その後、両側板上部に設けられた２箇所の棒体ボルト挿入孔に棒体ボルトを挿入し、ナットにて固定することにより容器内部で成長する植物の上下左右に対する圧力を抑制することで、ハート形の成型植物を作成することが可能となる。
【実施例】
【０００９】  以下、添付図面に従って実施例を説明する。  図５において、１は５ｍｍ幅のアクリル板を使用して形成された成型容器天板である。２は５ｍｍ幅のアクリル板を使用して形成された成型容器底板である。３は５ｍｍ幅のアクリル板を２枚重ねて形成された側板であり、天板及び底板と接合される側板部位と中央ハート型の部分は５ｍｍ幅で形成されており、前記以外にあたる側板下部等は１ｃｍ幅で形成されている。【００１１】  図３の上面図から天板１の中央には、栽培植物を挿入する挿入孔６が穿設されており、挿入孔の大きさは、挿入の作業性向上と栽培品種のつるを挟み込まないよう、最低１ｃｍ〜２ｃｍの範囲がより好ましく、挿入孔の形状は丸型が最も好ましい。【００１２】  図５において、天板１、底板２、側板３の全てに、空気孔７が通気性向上の為に直径４．２ｍｍで穿設されている。【００１３】  図５において、天板１の２枚と底板２の２枚には補強部Ａが設けられており、天板１の補強部Ａには１箇所のボルト孔Ｂ、底板２の補強部Ａには２箇所のボルト孔Ｂが設けられている。したがって天板１の補強部Ａと底板２の補強部Ａを接合させボルト４及びナット５により天板１と底板２を固定する。さらに側板３の２枚を両側より挟みこむように接合して、側板３に６箇所設けられたボルト孔８に棒体ボルト９を対抗する側板に挿入後、ナット１０にて固定する。【００１４】  本考案、ハート形成型容器を上記固定状態から、成長過程のウリ科植物、スイカ及びメロンを例として挿入する場合、図１において側板３の上部２箇所の棒体ボルト９を取外した後、天板１と底板２の補強部Ａから両サイドのボルト４を外すことで天板１が側板３、底板２より独立開閉状態となる為、栽培容器を立てた状態でウリ科植物を挿入するといった作業性の簡素化も考慮したものであり、尚且つスイカ及びメロンの生育成型後に果実を取出す際、側板のボルトを緩め天板、底板補強部のボルトを抜くことにより、天板が独立開閉状態となり容易に果実を傷つけることなく取出し可能な構造である。
【図面の簡単な説明】
【００１５】
【図１】本考案の形成型容器を組み立てた状態と天板を分解した状態の正面図
【図２】同上組み立てた状態で天板２枚を分解した側面図
【図３】同上組み立てた状態の上面図
【図４】同上組み立てた状態の底面図
【図５】天板、側坂、底板の分解斜視図である。
【符号の説明】
【００１６】  １    天板
２    底板
３    側板
４    補強部用ボルト
５    補強部用ナット
６    挿入孔
７    空気孔
８    挿入孔
９    棒体ボルト
１０  ナット
Ａ    補強部
Ｂ    補強部挿入孔
【図１】
0003134612.tif 000003
【図２】
0003134612.tif 000004
【図３】
0003134612.tif 000005
【図４】
0003134612.tif 000006
【図５】
0003134612.tif 000007